【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
第１の情報処理装置と、ネットワークを介して、コンテンツを前記第１の情報処理装置に送信する第２の情報処理装置とから構成される情報処理システムにおいて、
前記第１の情報処理装置は、
前記ネットワークを介して、前記第２の情報処理装置から送信される前記コンテンツを受信する第１の受信手段と、
前記ネットワークを介して、前記第２の情報処理装置から送信される前記コンテンツを構成する要素の配置を決定する手順を記述する配置決定手順情報を受信する第２の受信手段と、
前記配置決定手順情報に記述されている手順を基に、前記コンテンツを表示する表示装置の表示能力に関する情報を示す表示能力情報および前記コンテンツから、前記表示装置の画面における前記コンテンツの前記要素の配置を指示する第１の指示情報を生成する第１の生成手段と、
前記第１の指示情報を基に、前記要素の表示または表示の抑制を指示する第２の指示情報を生成する第２の生成手段と、
前記コンテンツ、前記第１の指示情報、および前記第２の指示情報を基に、前記コンテンツを前記表示装置に表示させるための表示情報を生成する第３の生成手段と
を含み
前記第２の情報処理装置は、
前記ネットワークを介して、前記第１の情報処理装置からの所定の要求に応じて、前記コンテンツを前記第１の情報処理装置に送信する第１の送信手段と、
前記ネットワークを介して、前記第１の情報処理装置からの所定の要求に応じて、前記配置決定手順情報を前記第１の情報処理装置に送信する第２の送信手段と
を含むことを特徴とする情報処理システム。
【請求項２】
ネットワークを介して、情報提供装置からコンテンツを受信する情報処理装置において、
前記ネットワークを介して、前記情報提供装置から送信される前記コンテンツを受信する第１の受信手段と、
前記ネットワークを介して、前記情報提供装置から送信される前記コンテンツを構成する要素の配置を決定する手順を記述する配置決定手順情報を受信する第２の受信手段と、
前記配置決定手順情報に記述されている手順を基に、前記コンテンツを表示する表示装置の表示能力に関する情報を示す表示能力情報および前記コンテンツから、前記表示装置の画面における前記コンテンツの前記要素の配置を指示する第１の指示情報を生成する第１の生成手段と、
前記第１の指示情報を基に、前記要素の表示または表示の抑制を指示する第２の指示情報を生成する第２の生成手段と、
前記コンテンツ、前記第１の指示情報、および前記第２の指示情報を基に、前記コンテンツを前記表示装置に表示させるための表示情報を生成する第３の生成手段と
を含むことを特徴とする情報処理装置。
【請求項３】
前記表示情報を基に、前記コンテンツの前記表示装置への表示を制御する表示制御手段
を含むことを特徴とする請求項２に記載の情報処理装置。
【請求項４】
前記ネットワークを介して、前記情報提供装置から前記コンテンツを構成する要素の階層構造に関する情報であるコンテンツ構造定義情報を受信する第３の受信手段と、
前記第３の受信手段により受信した前記コンテンツ構造定義情報を基に、過去に受信した前記コンテンツ構造定義情報のリストであるコンテンツ構造定義リストに、前記コンテンツ構造定義が含まれているか否かを判定する判定手段と
を含むことを特徴とする請求項２に記載の情報処理装置。
【請求項５】
前記判定手段により、前記コンテンツ構造定義リストに前記コンテンツ構造定義が含まれていないと判定された場合、前記第１の生成手段により生成した前記第１の指示情報と前記コンテンツ構造定義情報とを対応させた情報を記憶する第１の記憶手段と、
前記第２の生成手段により生成した前記第２の指示情報と前記コンテンツ構造定義情報とを対応させた情報を記憶する第２の記憶手段と
を含むことを特徴とする請求項４に記載の情報処理装置。
【請求項６】
前記判定手段により、前記コンテンツ構造定義リストに前記コンテンツ構造定義が含まれていると判定された場合、前記第１の受信手段は、前記情報提供装置から、前記コンテンツを取得するための所定の要求に応じた前記コンテンツの一部を受信し、
前記第３の生成手段は、前記第１の受信手段が受信したコンテンツの一部、前記第１の記憶手段から供給される前記第１の指示情報、および前記第２の記憶手段から供給される第２の指示情報を基に、前記表示情報を生成する
ことを特徴とする請求項４に記載の情報処理装置。
【請求項７】
前記コンテンツは、前記コンテンツを構成する要素であるコンテンツ構成要素の識別に関する情報である要素識別子、前記表示装置に表示される文字列または画像データに関する情報である要素内容、前記要素内容が前記表示装置に表示される際の優先順位に関する情報である表示優先順位、および前記要素内容の位置に関する情報である位置情報から構成される
ことを特徴とする請求項２に記載の情報処理装置。
【請求項８】
ネットワークを介して、情報提供装置からコンテンツを受信する情報処理装置の情報処理方法において、
前記ネットワークを介して、前記情報提供装置から送信される前記コンテンツの受信を制御する第１の受信制御ステップと、
前記ネットワークを介して、前記情報提供装置から送信される前記コンテンツを構成する要素の配置を決定する手順を記述する配置決定手順情報の受信を制御する第２の受信制御ステップと、
前記配置決定手順情報に記述されている手順を基に、前記コンテンツを表示する表示装置の表示能力に関する情報を示す表示能力情報および前記コンテンツから、前記表示装置の画面における前記コンテンツの前記要素の配置を指示する第１の指示情報を生成する第１の生成ステップと、
前記第１の指示情報を基に、前記要素の表示または表示の抑制を指示する第２の指示情報を生成する第２の生成ステップと、
前記コンテンツ、前記第１の指示情報、および前記第２の指示情報を基に、前記コンテンツを前記表示装置に表示させるための表示情報を生成する第３の生成ステップと
を含むことを特徴とする情報処理方法。
【請求項９】
ネットワークを介して、情報提供装置からコンテンツを受信する情報処理用のプログラムであって、
前記ネットワークを介して、前記情報提供装置から送信される前記コンテンツの受信を制御する第１の受信制御ステップと、
前記ネットワークを介して、前記情報提供装置から送信される前記コンテンツを構成する要素の配置を決定する手順を記述する配置決定手順情報の受信を制御する第２の受信制御ステップと、
前記配置決定手順情報に記述されている手順を基に、前記コンテンツを表示する表示装置の表示能力に関する情報を示す表示能力情報および前記コンテンツから、前記表示装置の画面における前記コンテンツの前記要素の配置を指示する第１の指示情報を生成する第１の生成ステップと、
前記第１の指示情報を基に、前記要素の表示または表示の抑制を指示する第２の指示情報を生成する第２の生成ステップと、
前記コンテンツ、前記第１の指示情報、および前記第２の指示情報を基に、前記コンテンツを前記表示装置に表示させるための表示情報を生成する第３の生成ステップと
を含むことを特徴とするコンピュータが読み取り可能なプログラムが記録されている記録媒体。
【請求項１０】
ネットワークを介して、情報提供装置からコンテンツを受信する処理を、コンピュータに行わせるプログラムにおいて、
前記ネットワークを介して、前記情報提供装置から送信される前記コンテンツの受信を制御する第１の受信制御ステップと、
前記ネットワークを介して、前記情報提供装置から送信される前記コンテンツを構成する要素の配置を決定する手順を記述する配置決定手順情報の受信を制御する第２の受信制御ステップと、
前記配置決定手順情報に記述されている手順を基に、前記コンテンツを表示する表示装置の表示能力に関する情報を示す表示能力情報および前記コンテンツから、前記表示装置の画面における前記コンテンツの前記要素の配置を指示する第１の指示情報を生成する第１の生成ステップと、
前記第１の指示情報を基に、前記要素の表示または表示の抑制を指示する第２の指示情報を生成する第２の生成ステップと、
前記コンテンツ、前記第１の指示情報、および前記第２の指示情報を基に、前記コンテンツを前記表示装置に表示させるための表示情報を生成する第３の生成ステップと
を含むことを特徴とするプログラム。
【請求項１１】
ネットワークを介して、コンテンツを情報処理装置に提供する情報提供装置において、
前記ネットワークを介して、前記情報処理装置から送信されてくる過去に前記コンテンツを取得したか否かを示す通知を受信する受信手段と、
前記コンテンツを構成する要素であるコンテンツ構成要素の識別に関する情報である要素識別子、および前記コンテンツを表示する表示装置に表示される文字列または画像データに関する情報である要素内容からなる第１の情報、並びに前記要素内容が前記表示装置に表示される際の優先順位に関する情報である表示優先順位情報、および前記要素内容の位置に関する情報である位置情報を生成する手順を記述する第２の情報を基に、前記コンテンツを生成する生成手段と、
前記通知が過去にコンテンツを取得していないことを示す場合、前記生成手段により生成した前記コンテンツを前記情報処理装置に送信し、前記通知が過去にコンテンツを取得していることを示す場合、前記第１の情報を情報処理装置に送信する送信手段と
を含むことを特徴とする情報提供装置。
【請求項１２】
前記第１の情報を記憶する第１の記憶手段と、
前記第２の情報を記憶する第２の記憶手段と
をさらに含むことを特徴とする請求項１１に記載の情報提供装置。
【請求項１３】
ネットワークを介して、コンテンツを情報処理装置に提供する情報提供装置の情報提供方法において、
前記ネットワークを介して、前記情報処理装置から送信されてくる過去に前記コンテンツを取得したか否かを示す通知を受信する受信ステップと、
前記コンテンツを構成する要素であるコンテンツ構成要素の識別に関する情報である要素識別子、および前記コンテンツを表示する表示装置に表示される文字列または画像データに関する情報である要素内容からなる第１の情報、並びに前記要素内容が前記表示装置に表示される際の優先順位に関する情報である表示優先順位情報、および前記要素内容の位置に関する情報である位置情報を生成する手順を記述する第２の情報を基に、前記コンテンツを生成する生成ステップと、
前記通知が過去にコンテンツを取得していないことを示す場合、前記生成ステップにより生成した前記コンテンツの前記情報処理装置への送信を制御し、前記通知が過去にコンテンツを取得していることを示す場合、前記第１の情報の情報処理装置への送信を制御する送信制御ステップと
を含むことを特徴とする情報提供方法。
【請求項１４】
ネットワークを介して、コンテンツを情報処理装置に提供する情報提供処理用のプログラムであって、
前記ネットワークを介して、前記情報処理装置から送信されてくる過去に前記コンテンツを取得したか否かを示す通知を受信する受信ステップと、
前記コンテンツを構成する要素であるコンテンツ構成要素の識別に関する情報である要素識別子、および前記コンテンツを表示する表示装置に表示される文字列または画像データに関する情報である要素内容からなる第１の情報、並びに前記要素内容が前記表示装置に表示される際の優先順位に関する情報である表示優先順位情報、および前記要素内容の位置に関する情報である位置情報を生成する手順を記述する第２の情報を基に、前記コンテンツを生成する生成ステップと、
前記通知が過去にコンテンツを取得していないことを示す場合、前記生成ステップにより生成した前記コンテンツの前記情報処理装置への送信を制御し、前記通知が過去にコンテンツを取得していることを示す場合、前記第１の情報の情報処理装置への送信を制御する送信制御ステップと
を含むことを特徴とするコンピュータが読み取り可能なプログラムが記録されている記録媒体。
【請求項１５】
ネットワークを介して、コンテンツを情報処理装置に提供する処理を、コンピュータに行わせるプログラムにおいて、
前記ネットワークを介して、前記情報処理装置から送信されてくる過去に前記コンテンツを取得したか否かを示す通知を受信する受信ステップと、
前記コンテンツを構成する要素であるコンテンツ構成要素の識別に関する情報である要素識別子、および前記コンテンツを表示する表示装置に表示される文字列または画像データに関する情報である要素内容からなる第１の情報、並びに前記要素内容が前記表示装置に表示される際の優先順位に関する情報である表示優先順位情報、および前記要素内容の位置に関する情報である位置情報を生成する手順を記述する第２の情報を基に、前記コンテンツを生成する生成ステップと、
前記通知が過去にコンテンツを取得していないことを示す場合、前記生成ステップにより生成した前記コンテンツの前記情報処理装置への送信を制御し、前記通知が過去にコンテンツを取得していることを示す場合、前記第１の情報の情報処理装置への送信を制御する送信制御ステップと
を含むことを特徴とするプログラム。
【手続補正２】
【補正対象書類名】明細書
【補正対象項目名】００２５
【補正方法】削除
【補正の内容】
【手続補正３】
【補正対象書類名】明細書
【補正対象項目名】００２６
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】変更
【補正の内容】
【００３０】
本発明の情報提供装置は、ネットワークを介して、情報処理装置から送信されて
くる過去にコンテンツを取得したか否かを示す通知を受信する受信手段と、コンテンツを構成する要素であるコンテンツ構成要素の識別に関する情報である要素識別子、およびコンテンツを表示する表示装置に表示される文字列または画像データに関する情報である要素内容からなる第１の情報、並びに要素内容が表示装置に表示される際の優先順位に関する情報である表示優先順位情報、および要素内容の位置に関する情報である位置情報を生成する手順を記述する第２の情報を基に、コンテンツを生成する生成手段と、通知が過去にコンテンツを取得していないことを示す場合、生成手段により生成したコンテンツを情報処理装置に送信し、通知が過去にコンテンツを取得していることを示す場合、第１の情報を情報処理装置に送信する送信手段とを含むことを特徴とする。
【手続補正８】
【補正対象書類名】明細書
【補正対象項目名】００３１
【補正方法】変更
【補正の内容】
【００３１】
本発明の情報提供装置は、第１の情報を記憶する第１の記憶手段と、第２の情報を記憶する第２の記憶手段とをさらに含むことを特徴とする。
【手続補正９】
【補正対象書類名】明細書
【補正対象項目名】００３２
【補正方法】変更
【補正の内容】
【００３２】
本発明の情報提供方法は、ネットワークを介して、情報処理装置から送信されて
くる過去にコンテンツを取得したか否かを示す通知を受信する受信ステップと、コンテンツを構成する要素であるコンテンツ構成要素の識別に関する情報である要素識別子、およびコンテンツを表示する表示装置に表示される文字列または画像データに関する情報である要素内容からなる第１の情報、並びに要素内容が表示装置に表示される際の優先順位に関する情報である表示優先順位情報、および要素内容の位置に関する情報である位置情報を生成する手順を記述する第２の情報を基に、コンテンツを生成する生成ステップと、通知が過去にコンテンツを取得していないことを示す場合、生成ステップにより生成したコンテンツの情報処理装置への送信を制御し、通知が過去にコンテンツを取得していることを示す場合、第１の情報の情報処理装置への送信を制御する送信制御ステップとを含むことを特徴とする。
【手続補正１０】
【補正対象書類名】明細書
【補正対象項目名】００３３
【補正方法】変更
【補正の内容】
【００３３】
本発明の第２の記録媒体のプログラムは、ネットワークを介して、情報処理装置から送信されてくる過去にコンテンツを取得したか否かを示す通知を受信する受信ステップと、コンテンツを構成する要素であるコンテンツ構成要素の識別に関する情報である要素識別子、およびコンテンツを表示する表示装置に表示される文字列または画像データに関する情報である要素内容からなる第１の情報、並びに要素内容が表示装置に表示される際の優先順位に関する情報である表示優先順位情報、および要素内容の位置に関する情報である位置情報を生成する手順を記述する第２の情報を基に、コンテンツを生成する生成ステップと、通知が過去にコンテンツを取得していないことを示す場合、生成ステップにより生成したコンテンツの情報処理装置への送信を制御し、通知が過去にコンテンツを取得していることを示す場合、第１の情報の情報処理装置への送信を制御する送信制御ステップとを含むことを特徴とする。
【手続補正１１】
【補正対象書類名】明細書
【補正対象項目名】００３４
【補正方法】変更
【補正の内容】
【００３４】
本発明の第２のプログラムは、ネットワークを介して、情報処理装置から送信されてくる過去にコンテンツを取得したか否かを示す通知を受信する受信ステップと、コンテンツを構成する要素であるコンテンツ構成要素の識別に関する情報である要素識別子、およびコンテンツを表示する表示装置に表示される文字列または画像データに関する情報である要素内容からなる第１の情報、並びに要素内容が表示装置に表示される際の優先順位に関する情報である表示優先順位情報、および要素内容の位置に関する情報である位置情報を生成する手順を記述する第２の情報を基に、コンテンツを生成する生成ステップと、通知が過去にコンテンツを取得していないことを示す場合、生成ステップにより生成したコンテンツの情報処理装置への送信を制御し、通知が過去にコンテンツを取得していることを示す場合、第１の情報の情報処理装置への送信を制御する送信制御ステップとを含むことを特徴とする。
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】変更
【補正の内容】
【００３８】
本発明の情報提供装置および方法、第２の記録媒体、並びに第２のプログラムにおいては、ネットワークを介して、情報処理装置から送信されてくる過去にコンテンツを取得したか否かを示す通知を受信し、コンテンツを構成する要素であるコンテンツ構成要素の識別に関する情報である要素識別子、およびコンテンツを表示する表示装置に表示される文字列または画像データに関する情報である要素内容からなる第１の情報、並びに要素内容が表示装置に表示される際の優先順位に関する情報である表示優先順位情報、および要素内容の位置に関する情報である位置情報を生成する手順を記述する第２の情報を基に、コンテンツを生成し、通知が過去にコンテンツを取得していないことを示す場合、コンテンツを情報処理装置に送信し、通知が過去にコンテンツを取得していることを示す場合、第１の情報を情報処理装置に送信する。
【手続補正１４】
【補正対象書類名】明細書
【補正対象項目名】００４１
【補正方法】削除
【補正の内容】
【手続補正１５】
【補正対象書類名】明細書
【補正対象項目名】００４２
【補正方法】変更
【補正の内容】
【００４２】
第３の本発明によれば、コンテンツを表示させることができる。また、第３の本発明によれば、より少ない種類の情報を記録し、より少ない処理で、デバイス側において、表示装置に適した形態でコンテンツを表示させることができるようになる。
【手続補正１６】
【補正対象書類名】明細書
【補正対象項目名】００５４
【補正方法】削除
【補正の内容】
【手続補正１７】
【補正対象書類名】明細書
【補正対象項目名】００５５
【補正方法】削除
【補正の内容】
【手続補正１８】
【補正対象書類名】明細書
【補正対象項目名】００５６
【補正方法】削除
【補正の内容】
【手続補正１９】
【補正対象書類名】明細書
【補正対象項目名】００５７
【補正方法】削除
【補正の内容】